(57)【要約】【課題】  鉢上げが容易となる底石用トレー、該トレーを収納可能な植木鉢またはプランター、および該トレー用フックを提供する。【解決手段】  底石を収納するトレーは、植木鉢またはプランターの底に収納され、周囲に２つ以上の紐状手段を備える。さらに、係合可能な蓋体および底体からなり、合成樹脂製で、通気性および通水性があることが望ましい。植木鉢またはプランターは、前記トレーを内部の底に収納可能で、前記紐状手段を係止する構造を備える。トレー用フックは、縁の外側に段差のある植木鉢またはプランターに、該段差に係合する状態で係止可能な構造を備え、かつ、前記トレーからの紐状手段を係止する構造を備える。【選択図】  図１
2005102637.tif 000002
【特許請求の範囲】
【請求項１】
植木鉢またはプランターの底に収納され、周囲に２本の紐状手段を取付け可能な少なくとも一対の紐取付け手段を備え、通気性および通水性を有する面を有し、底石を収納可能であり、取り付けられた前記紐状手段と一体となって前記植木鉢またはプランターの土および底石を植えられている植物とともに引き上げることを可能とするトレー。
【請求項２】
係合可能な蓋体および底体からなり、内部に底石を収納可能な請求項１に記載のトレー。
【請求項３】
底体の底部中央から外側に突出し、前記トレーが収納される植木鉢またはプランターの水抜き孔内に突出する突起を備える請求項１または２に記載のトレー。
【請求項４】
請求項１から３のいずれかに記載のトレーを内部の底に収納可能で、前記トレーの紐取付け手段に取り付けられた紐状手段を係止する構造を備える植木鉢またはプランター。
【請求項５】
前記紐状手段を係止する構造が、縁よりも内側にある請求項４に記載の植木鉢またはプランター。
【請求項６】
前記紐状手段を係止する構造が、係合した植木鉢またはプランターを吊り下げるためのフック部を有し、縁よりも外側にある請求項４に記載の植木鉢またはプランター。
【請求項７】
縁の外側に段差のある植木鉢またはプランターに、該段差に係合する係合構造を備え、かつ、請求項１から３のいずれかに記載のトレーに取り付けられた紐状手段を係止するためのトレー用フック。
【請求項８】
前記植木鉢またはプランターを吊り下げるためのフック部を有する請求項７に記載の植木鉢またはプランター。
【発明の詳細な説明】
【技術分野】
【０００１】
本発明は、底石用トレー、該トレーを収納可能な植木鉢またはプランター、および該トレー用フックに関する。
【背景技術】
【０００２】
従来、大きく育った草木を、植木鉢やプランターから植え替える場合、逆さにした植木鉢から土ごと落とすように草木を手で受け止めて、鉢上げをしていた。しかし、根の成長によっては、引き抜くのが困難な場合もあり、無駄に時間と労力を費やしていた。
【０００３】
あるいは、大きい樹木の場合や、植木鉢が大きい場合には、植木鉢の底や側面を叩いたり、土に切り込みを入れることにより、植木鉢の中の土を抜きやすい状態にしてから、鉢上げをしていた。
【０００４】
このような問題を解決するために、実用新案登録第３０７６９５９号公報には、底石となる小片体を収納したネット袋体に、紐体を取り付け、端部を植木鉢の外側に出して、草木を植木鉢から安定した状態で取り出すことが記載されている。
【０００５】
しかし、盛り土をしてから鉢上げをするまでには月日が経っているので、紐体の端部が土に紛れて、見つかりにくくなるという問題があった。また、経年により、紐体が劣化して、破断すると再利用が困難という問題もあった。
【特許文献１】実用新案登録第３０７６９５９号公報
【発明の開示】
【発明が解決しようとする課題】
【０００６】
本発明の目的は、鉢上げが容易となる底石用トレー、該トレーを収納可能な植木鉢またはプランター、および該トレー用フックを提供することにある。
【課題を解決するための手段】
【０００７】
本発明に係る植木鉢またはプランター用のトレーは、植木鉢またはプランターの底に収納され、周囲に２本の紐状手段を取付け可能な少なくとも一対の紐取付け手段を備え、通気性および通水性を有する面を有し、底石を収納可能であり、取り付けられた前記紐状手段と一体となって前記植木鉢またはプランターの土および底石を植えられている植物とともに引き上げることが可能となっている。
【０００８】
前記トレーは、係合可能な蓋体および底体からなり、内部に底石を収納可能とする構造でもよい。
【０００９】
また、前記トレーの底体の底部中央部から外側に突出し、前記トレーが収納される植木鉢またはプランターの水抜き孔内に突出する突起を備えるようにすることが好ましい。
【００１０】
本発明に係る植木鉢またはプランターは、前記トレーとともに使用され、前記トレーを内部の底に収納可能で、前記トレーの紐取付け手段に取り付けられた紐状手段を係止する構造を備える。
【００１１】
前記紐状手段を係止する構造は、植木鉢またはプランターの縁よりも内側にあってもよく、外側にあってもよい。当該構造が前記縁より外側にある場合、この構造に当該植木鉢またはプランターを吊り下げるためのフック部を設けて、前記植木鉢またはプランターを吊り下げ可能とすることもできる。
【００１２】
また、既存の植木鉢またはプランターを前記トレーとともに使用する場合、当該植木鉢またはプランターの縁の外側にある段差を使って、該段差に係合する係合構造を備え、かつ、前記トレーに取り付けられた紐状手段を係止するためのトレー用フックを用いることができる。当該フックにも、前記植木鉢またはプランターを吊り下げるためのフック部を設けるとよい。
【発明の効果】
【００１３】
本発明により、鉢上げが容易となった。
【００１４】
さらに、底石をトレーに収納することにより、より通風性がよくなり、害虫の進入を防止しやすくなった。
【発明を実施するための最良の形態】
【００１５】
本発明の底石を収納するトレーを、図面を参照して説明する。図１は、本発明のトレーの一実施例を示す斜視図である。
【００１６】
底石を収納するトレー（１０）は、係合可能な蓋体（１１）および底体（１２）からなり、周囲に例えば４つの紐取付け手段（１４）を備え、該紐取付け手段（１４）に紐（１３）の両端を結ぶ。材質は、土中で耐久性のある合成樹脂製であれば、公知のいずれでもよく、メッシュ構造としたり、多孔構造とすることにより、通気性および通水性を備える。トレー（１０）には、脚を設けて、より通風性をよくしてもよい。また、底体（１２）の縁など、強度の高い構造に、合成樹脂製などの輪を、向きが自在に変えられるように取り付け、この輪に紐（１３）を通したり、結索することにより、紐（１３）の交換が容易となる。
【００１７】
あるいは、トレー（１０ａ）のように、底石を載せることが可能で、植木鉢の内部の底に収まる大きさのマチの付いた円板状で、通気性および通水性を備える。紐（１３）を係止する方法は前述と同様である。
【００１８】
本発明の植木鉢およびプランターを、図面を参照して説明する。図２は、本発明の植木鉢の一実施例を示す斜視図である。図３は、本発明のプランターの一実施例を示す斜視図である。
【００１９】
本発明の植木鉢（２０）またはプランター（３０）は、前記トレー（１０）を内部の底に収納可能で、前記紐（１３）の係止構造（２１）を備える。
【００２０】
図２に示した植木鉢（２０）では、紐（１３）の係止構造（２１）が、縁（２２）よりも内側にある。あるいは、植木鉢（２０）を吊り下げ可能に、縁（２２）よりも外側にあってもよい。
【００２１】
図３に示したプランター（３０）では、紐（１３）の係止構造（３１）が、プランター（３０）を吊り下げ可能に、縁（３２）よりも外側にある。あるいは、縁（３２）よりも内側にあってもよい。
【００２２】
紐（１３）は、単に伸び出る紐であって、係止構造（２１）、（３１）に結索してもよいが、全体が輪になっていたり、先端が輪になっていて、係止構造（２１）、（３１）にかけるだけで係止可能とすることが望ましい。
【００２３】
トレー（１０）は、公知技術のいずれかにより、寸法が調整可能な構造を備えてもよい。例えば一方向に伸び縮みすることにより、外形を大小自在に変形させて、少ない種類のトレー（１０）で、あらゆる植木鉢（２０）やプランター（３０）に適用可能とする。
【００２４】
本発明のトレーと、植木鉢またはプランターを使用して、植栽を行う手順について、以下に説明する。
【００２５】
底石は、トレー（１０）の蓋体（１１）および底体（１２）の間に収納する。底石は、先に袋に入れてから収納してもよい。さらに、蓋体（１１）および底体（１２）が係合可能な構造を備えたり、結索するなど、公知技術のいずれかにより、蓋体（１１）および底体（１２）を係合する。
【００２６】
該トレー（１０）は、紐（１３）を、係止構造（２１）、（３１）に結索したり、かけた状態で、植木鉢（２０）またはプランター（３０）の内部の底に収納する。
【００２７】
さらに、トレー（１０）の上に土を入れ、根の付いた植物を置いて、適当な高さまで土を盛り上げる。係止構造（２１）、（３１）は全部または一部が土面の上に位置するように、縁（２２）、（３２）と同じかやや低いレベルとなるように、寸法付けておく。
【００２８】
鉢上げの際には、係止構造（２１）、（３１）から、紐（１３）を外して、紐（１３）を引き上げるだけで、トレー（１０）と土が一体になって、植木鉢（２０）またはプランター（３０）から引き抜くことが可能である。
【００２９】
本発明のトレー用フックについて、図面を参照して説明する。図４は、トレー用フックを植木鉢に使用した状態を示す斜視図である。
【００３０】
本発明のトレー用フック（４０）は、縁（５２）の外側に段差（５３）のある植木鉢（５０）またはプランターに、該段差（５３）に係合する係合構造（４４）を備え、かつ、トレー（１０）からの紐（１３）の係止構造（４６）を備える。
【００３１】
さらに、孔を備えてチェーンの先端を掛けたり、予めリングを回動可能に取り付けておき、紐を結索可能にすることにより、係合した植木鉢またはプランターを吊り下げる。このように吊された植木鉢やプランターは、立体的なガーデニングに大変、便利である。
【００３２】
また、図５に断面図を示したように、トレーの底部中央から外側に突出する突起（１０ｂ）を備えるとよい。この突起（１０ｂ）は、水抜き孔（２３）内に突出させることにより、害虫の進入防止になるとともに、鉢上げ時に、該突起（１０ｂ）を押し上げることにより、根の張った土を引き抜くことがさらに容易となる。
【図面の簡単な説明】
【００３３】
【図１】本発明のトレーの一実施例を示す斜視図である。
【図２】本発明の植木鉢の一実施例を示す斜視図である。
【図３】本発明のプランターの一実施例を示す斜視図である。
【図４】トレー用フックを植木鉢に使用した状態を示す斜視図である。
【図５】本発明の植木鉢の一実施例を示す断面図である。
【符号の説明】
【００３４】
１０、１０ａ  トレー
１０ｂ  突起
１１  蓋体
１２  底体
１３  紐
１４  紐取付け手段
２０  植木鉢
２１  係止構造
２２  縁
２３  水抜き孔
３０  プランター
３１  係止構造
３２  縁
４０  トレー用フック
４４  係合構造
４６  係止構造
５０  植木鉢
５２  縁
５３  段差
【図１】
2005102637.tif 000003
【図２】
2005102637.tif 000004
【図３】
2005102637.tif 000005
【図４】
2005102637.tif 000006
【図５】
2005102637.tif 000007